(57)【要約】【課題】物干綱または物干紐が、ハンガーのフック部を挿通するための目穴を具備しない通常の物干綱または物干紐であっても、フック部を物干綱または物干紐に引き掛けていく操作により、そのハンガーが物干綱または物干紐にフック部を係着させた状態として吊り下げられるようにする。【解決手段】ハンガー１の主体部１１の頂部に設けるフック部１０の上半側の近傍位置に、アーム状に形成した押さえ腕４を、平面視においてフック部１０の上半側の周面に対し物干綱Ｒの径に略対応する間隔をおき、側面視においてフック部１０の上半側に対し略重合するように並列配位し、その押さえ腕４の長手方向の一端部４０を、フック部１０の前後の一端側に連結固定し、他端部４１を、遊端としてフック部１０の前後の他端側においてフック部１０の周面から遊離する状態位置に配位する。【選択図】　　　　図１１
2004057338.tif 000002
【特許請求の範囲】
【請求項１】
ハンガー１の主体部１１の頂部に設けるフック部１０の上半側の近傍位置に、アーム状に形成した押さえ腕４を、平面視においてフック部１０の上半側の周面に対し物干綱Ｒの径に略対応する間隔をおき、側面視においてフック部１０の上半側に対し略重合するように並列配位し、その押さえ腕４の長手方向の一端部４０を、フック部１０の前後の一端側に連結固定し、他端部４１を、遊端としてフック部１０の前後の他端側においてフック部１０の周面から遊離する状態位置に配し、この押さえ腕４の遊端部とフック部の周面との間に物干綱Ｒを導入せしめて、その物干綱Ｒを押さえ腕４とフック部１０とにより蛇行屈曲せしめてフック部１０に係着させるようにしたことを特徴とする物干用のハンガー。
【請求項２】
フック部１０の上半側に並列させて一端部４０をフック部１０に連結固定する押さえ腕４の遊端とする他端部４１を、側面視においてフック部１０の内周側に位置させ、押さえ腕４の遊端側から導入する物干綱Ｒを押さえ腕４の外周面側とフック部１０の内周面側とで蛇行屈曲させるようにすることを特徴とする請求項１記載の物干用のハンガー。
【請求項３】
フック部１０の上半側に並列させて一端部４０をフック部１０に連結固定する押さえ腕４の遊端とする他端部４１を、側面視においてフック部１０の外周側に位置させ、押さえ腕４の遊端側とフック部１０の周面との間から導入する物干綱Ｒを、フック部１０の外周面側と押さえ腕の内周面側とにより蛇行屈曲させてフック部１０に係着させることを特徴とする請求項１記載の物干用のハンガー。
【請求項４】
アーム状に形成する押さえ腕４を、フック部１０の上半側の左右の両側に、平面視においてフック部１０に対し物干綱の形に略対応する間隔をおいてそれぞれ並列させて配位し、それらの一端部４０をフック部１０の前後の一端側に連結固定し、それらの他端部４１を遊端としてフック部１０の周面から遊離する状態位置に配位することを特徴とする請求項１記載の物干用のハンガー。
【請求項５】
フック部１０の上半側の左右の巾方向の中間部位に、前後方向に連続する開裂状の開口部１０ａを形設し、この開口部１０ａ内に、アーム状に形成した押さえ腕４の長手方向の中間部位を配位して、その押さえ腕４の一端部４０をフック部１０の前後の一端側に連結固定し、他端部４１を遊端として、側面視でフック部１０の内周側において、そのフック部１０の内周面から遊離する状態位置に配設することを特徴とする請求項１記載の物干用のハンガー。
【請求項６】
フック部１０の上半側の左右の巾方向の中間部位に、前後方向に連続する開裂状の開口部１０ａを形設し、この開口部１０ａ内に、アーム状に形成した押さえ腕４の長手方向の中間部位を配位して、その押さえ腕４の一端部４０をフック部１０の前後の一端側に連結固定し、他端部４１を遊端として、側面視でフック部１０の外周側において、そのフック部１０の外周面から遊離する状態位置に配位することを特徴とする請求項１記載の物干用のハンガー。
【請求項７】
ハンガー１の主体部１１を、所定長さに切断した金属線材ａの長手方向の中間部位の屈曲により成形し、その主体部１１の頂部に連続するフック部１０を、金属線材ａの一端側ｂにより成形し、そのフック部１０に並設する押さえ腕４を、前記金属線材ａの他端側ｃにより成形することを特徴とする請求項１記載の物干用のハンガー。
【請求項８】
ハンガー１のフック部１０には、それの上半側に押さえ腕４を並列させて設け、その押さえ腕４の下方に、フック部１０の内周側を横切る側面視において略Ｖ字型の係止腕２を上下に回動自在に設けることを特徴とする請求項１記載の物干用のハンガー。
【発明の詳細な説明】
【０００１】
【発明が属する技術分野】
本発明は、洗濯した衣服類を懸架した衣服用のハンガーを、物干場に張り渡した物干綱に引き掛けて吊り下げたときに、洗濯物が風であおられても、ハンガーが物干綱から外れたり物干綱上を動きまわることがないように、物干綱に対する係止手段を装備せしめる物干用のハンガーに関する。
【０００２】
【従来の技術】
洗濯した衣服類を乾かす場合、通常、衣服類にあっては、ハンガーに掛け、そのハンガーを、物干台または物干場にかけ渡す竿または綱に引き掛けて吊り下げることで行われる。
【０００３】
このとき、風の強い日には、洗濯物が風であおられることで、ハンガーが物干竿または物干綱から外れ、洗濯物がハンガーごと飛ばされるようになるので、ハンガーを物干竿または物干綱に係止するための係止手段がハンガーに設けられる。
【０００４】
この係止手段には、ハンガーを物干竿に係止するための手段としては、例えば、特許第２９４９０６２号の公報にあるように従来から知られている。この手段は、図１に示すように、ハンガー１の主体部１１の頂部に設けたフック部１０に、上下に並列する二本のアーム２０・２１が一端側において連結し他端側において上下に開放する略横向きのＶ字形をなす形状に形成した係止腕２を、それの要となる二本のアーム２０・２１の閉じ合わされた側に設ける連結軸３により、上下に回動するように連結して、常態において、自重により、図２にあるように上位側のアーム２０がフック部１０の内腔を横切り下位側のアーム２１がフック部１０に沿う下向きのＶ字形をなす姿勢を保持するようにしておき、このハンガー１のフック部１０を物干竿Ｐに掛けることで、ハンガー１およびそれに懸架した洗濯物の重量により、Ｖ字形の係止腕２の上位側のアーム２０が押し上げられて、連結軸３中心に図２において時計回りに回動し、それにより、図３にあるように、下位側のアーム２１が物干竿Ｐをフック部１０の内周側に抱き込んで、ハンガー１を物干竿Ｐに係着させるようにしている手段である。
【０００５】
また、ハンガー１を物干綱Ｒに対して係止せしめる手段にあっては、物干綱Ｒを図４にあるように、ハンガー１のフック部１０を通す目穴ｒを作っておき、そこに、フック部１０を通して吊り下げることで、この目穴ｒにより係止するようにしている。
【０００６】
【発明が解決しようとする課題】
洗濯物を掛けたハンガーを、物干竿または物干綱または物干紐に引き掛けて吊り下げたときに、風であおられても外れて飛ばされることのないようにする係止手段は、ハンガーを物干竿に引き掛けて吊り下げるときの、物干竿に対して係止させるための手段にあっては、ハンガーのフック部を物干竿に引き掛けていく動作により自動的に係止が行われるようになることで、係止のための操作に負担がないが、ハンガーを綱または紐に引き掛けて吊り下げるときの、綱または紐に係止する手段にあっては、図４にあるように、物干綱（または物干紐）に、ハンガー１のフック部１０を挿通する目穴ｒを形成しておいて、そこに、フック部１０を、それの遊端側から挿し込んで係止することで行うことから、このフック部１０を挿通する目穴ｒを具備せしめた特殊な物干綱Ｒまたは物干紐を要し、この目穴ｒのない通常の物干綱・物干紐には、それにハンガーを係止するために、別の係止手段が必要となる。
【０００７】
しかも、フック部１０を挿通するために物干竿または物干紐に設けられる目穴ｒの径が小さいことで、フック部１０を目穴ｒに挿通していく操作が面倒な問題がある。また、この手段は、フック部１０を針金で形成してあるハンガーを対象としているもので、フック部１０を樹脂材で成形してあるハンガーにあっては、目穴ｒに対してハンガーのフック部を挿通し得ない問題がある。
【０００８】
本発明は、従来の洗濯物を懸架したハンガーを物干場に張り渡した物干綱または物干紐に対しフック部を引き掛けて吊り下げる際に生じている上述の問題を解消せしめるためになされたものであって、物干綱または物干紐が、ハンガーのフック部を挿通するための目穴を具備しない通常の物干綱または物干紐であっても、フック部を物干綱または物干紐に引き掛けていく操作により、そのハンガーが物干綱または物干紐にフック部を係着させた状態として吊り下げられるようになる新たなハンガーの係止手段を提供することを目的とする。
【０００９】
【課題を解決するための手段】
洗濯物を掛けたハンガーを、物干場に張り渡した物干綱（または物干紐）に引き掛けて吊り下げたときに、その洗濯物が風にあおられても、それを掛けたハンガーが物干綱から外れないようにそのハンガーを物干綱に対して係着させておくには、ハンガーのフック部を物干綱に引き掛けたときに、その物干綱のハンガーのフック部との接触部位が、フック部の周面に対して巻き付いた形態となるようにすればよい。そして、このようにするには、ハンガーのフック部の上半側の側面に、このフック部と平行するアームを物干綱の径に対応する間隔をおいて並列配設し、そのアームの長手方向の一端側をフック部に固定連結し、他端側を遊端としておくことで、ハンガーを、それのフック部を物干綱に引き掛けてその物干綱に吊る下げるときに、物干綱が、係止腕の遊端側とフック部の周面との間に導入されて、フック部の周面と係止腕の周面とによりジグザグ状に屈曲して、フック部の周面に倣うように巻き付いた状態となって物干綱に引き掛けたフック部がその物干綱の長手方向に対し係着するようになる。
【００１０】
そして、このことから、本発明においては、上述の目的を達成するための手段として、請求項１に記載した、ハンガー１の主体部１１の頂部に設けるフック部１０の上半側の近傍位置に、アーム状に形成した押さえ腕４を、平面視においてフック部１０の上半側の周面に対し物干綱Ｒの径に略対応する間隔をおき、側面視においてフック部１０の上半側に対し略重合するように並列配位し、その押さえ腕４の長手方向の一端部４０を、フック部１０の前後の一端側に連結固定し、他端部４１を、遊端としてフック部１０の前後の他端側においてフック部１０の周面から遊離する状態位置に配し、この押さえ腕４の遊端部とフック部の周面との間に物干綱Ｒを導入せしめて、その物干綱Ｒを押さえ腕４とフック部１０とにより蛇行屈曲せしめてフック部１０に係着させるようにしたことを特徴とする物干用のハンガーを提起するものである。
【００１１】
【発明の実施の形態】
本発明手段による物干用のハンガーは、それの基本的な形態については、洗濯した衣服類を懸架する主体部とそれの頂部に上方に突出するよう設けるフック部とにより、通常のハンガーと同様に形成する。
【００１２】
このとき、その主体部１１は、図５に示しているよう、通常の衣服を掛けるハンガーの主体部と同様の形状に作ってよく、また、靴下等を吊り下げるクリップ付きのものとするなど適宜の形状に形成してよい。
【００１３】
このハンガー１の主体部１１の頂部に上方に突出するように設けるフック部１０も、通常のハンガーのフック部と同様の形状に形成してよい。また、このフック部１０は、主体部１１とは別体に形成して、主体部１１に接続しハンガー１に組み立てるようにする場合がある。
【００１４】
また、この主体部１１およびフック部１０は、針金状の金属線材の折曲成形により形成するか、または、合成樹脂材により成型品として形成してよいこと従前のハンガーと同様である。
【００１５】
このように形成するハンガー１には、それのフック部１０の上半側の近傍位置に、針金状の金属線材または合成樹脂材により、側面視においてフック部１０の上半側に略倣うアーチ状に形成した押さえ腕４を、図６にあるよう平面視において、物干綱Ｒの径に略対応する間隔ｄをおき、側面視において図５にあるようフック部１０の上半側に対し略重合するように配位してフック部１０に対し並列させ、この押さえ腕４の長手方向の一端部４０をフック部１０の前後方向における一端側（図５に示している実施例においては後端側）に連結して固定状態とし、他端部４１は遊端としてフック部１０の前後の他端側（前述図５の実施例においては前端側）においてそのフック部１０の周面から遊離した状態位置に配位し、この状態において前述の一端部４０による連結によりフック部１０に支持せしめて固定状態に装設する。
【００１６】
これにより、ハンガー１を、それのフック部１０を物干綱Ｒに引き掛けて吊り下げるときに、物干綱Ｒを押さえ腕４の遊端部（他端部）４１の側からその押さえ腕４とフック部１０の周面との間に導いて、その物干綱Ｒのフック部１０に引き掛ける部位を、図７および図８にあるように、フック部１０の周面の下面側から上方に屈曲して押さえ腕４の周面の上面側を経る屈曲蛇行した状態とし、物干綱Ｒがフック部１０に対しその物干綱Ｒの長手方向に係着した状態となるようにする。
【００１７】
この物干綱Ｒをフック部１０と共同して屈曲蛇行させる押さえ腕４には、それの長手方向の一部に、物干綱Ｒを嵌入させる凹部４ａを形成しておく場合がある。この凹部４ａは、屈曲蛇行させて係着させた物干綱Ｒがそれの長手方向に対し直交する方向にずれるようになるのを阻止するうえにおいて有効である。
【００１８】
フック部１０の上半側の近傍に押さえ腕４を並列配設するときの、その押さえ腕４とフック部１０の周面との間に形成する間隔ｄは、上述した如く、押さえ腕４の遊端部（他端部）４１とフック部１０の周面との間から物干綱Ｒをフック部１０の上部側に導いていくためのもので、物干綱Ｒが入り込むようになればよく、また、導く物干綱Ｒを押さえ腕４とフック部１０とにより蛇行屈曲させてフック部１０に対して係着させるときの係着作用を良くするために、この間隔ｄは、物干綱Ｒが通過する範囲内においてできるだけ狭くしておくことが望ましい。
【００１９】
また、このフック部１０の上半側の近傍位置に並列させて装設する押さえ腕４は、前述の図５にあるよう側面視においてフック部１０と略重合するように並列させてよいものであるが、図９・図１０に示しているように、押さえ腕４を、フック部１０の上半側に対し略２分の１ピッチ程度で、上方または下方にずれた状態位置に並列するようにすることが望ましい。
【００２０】
フック部１０に並列させて設ける押さえ腕４の遊端部（他端部）４１は、図５に示している例にあっては、側面視において、フック部１０の内腔側に位置するようにしているが、図１１に示す例の如く、フック部１０の外周側に張り出すようにしてもよい。この場合には、押さえ腕４の遊端部（他端部）４１とフック部１０の周面との間から導入する物干綱Ｒが、フック部１０の上面側に導かれ、そこから、間隔ｄを介し押さえ腕４の下面側に導かれて、フック部１０の周面に巻き付くよう蛇行屈曲していくようになる。
【００２１】
また、このフック部１０に並列させて設ける押さえ腕４は、図１２にある例の如く、フック部１０の上半側の左右の両側にそれぞれ位置するように並設してよく、このようにすることで、物干綱Ｒの屈曲蛇行によるフック部１０に対する係着は、図１４にあるよう一層効果的なものとなる。
【００２２】
このフック部１０の両側に配設する押さえ腕４・４は、それらの遊端部を、図１５に示している例の如く、つなぎ部材４２により一体または一体的に連結しておくことが、物干綱Ｒの導入を円滑にする上において有効であり望ましい。
【００２３】
また、押さえ腕４は、弾性を具備する金属線材の折り曲げ成形により形成するか、弾性を具備する合成樹脂材により成型品として成形することで、撓曲可能に形成することがむしろ望ましく、これにより、例えば、図１５にあるように、物干綱Ｒを押さえ腕４・４とフック部１０とにより屈曲蛇行させた状態としたときに、物干綱Ｒをフック部１０の上部側に導く際に弾性により撓曲した押さえ腕４の復元により物干綱Ｒをフック部１０の周面に押圧するようになって、屈曲蛇行によるフック部１０に対する係着を一層効果的にする。
【００２４】
このように押さえ腕４を弾性資材により撓曲可能に形成するときは、フック部１０に並列させて設ける押さえ腕４のフック部１０との間に形成する間隔ｄは、物干綱Ｒの径よりも狭くしておいてよい。
【００２５】
また、押さえ腕４を、弾性を具備する合成樹脂材により成形するとき、ハンガー１のフック部１０と一体に連続する成型品として成形する場合には、そのハンガー１のフック部１０の側にも、弾性による撓曲での物干綱Ｒの挟持が期待できるようになる。
【００２６】
フック部１０に並列させて設ける押さえ腕４は、フック部１０を例えば合成樹脂材により成型品として成形するときに、それの上半側の部位に、図１７・図１８に示す実施例の如く、フック部１０の巾方向の中間部において前後方向に連続する開裂状の開口部１０ａを形設しておいて、別に合成樹脂材で成形する押さえ腕４を、それの長手方向の中間部位が、この開口部１０ａに嵌入するように配位して、それの基端部（一端部）４０をフック部１０に連結固定し、遊端部（他端部）４１を、フック部１０の周面に対し遊離した状態位置に配位することで、フック部１０に対し並列状態に装設するようにしてよい。
【００２７】
このとき、押さえ腕４の遊端部（他端部）４１は、図１７・図１８にある例においては、フック部１０の内腔側においてフック部１０の周面に対し遊離する位置を占めるようにしているが、図２１にある実施例のように、フック部１０の外周側においてそのフック部１０の周面に対向するようにしてよいこと勿論である。
【００２８】
この場合は、前述の例のものが、図２０にあるように物干綱Ｒがフック部１０の下面側から押さえ腕４の上面側を経て再びフック部１０の下面側を通るようになるのに対し、図２２にあるように、物干綱Ｒが、押さえ腕４の下面側に導かれることで、フック部１０の上面側から押さえ腕４の下面側を経て再びフック部１０の上面側を通る態様となってフック部１０に係着していくようになる。
【００２９】
次に、図２３・図２４は別の実施例を示している。この例は、金属線材の屈曲成型によりハンガー１を形成するときに、その金属線材ａの一方の端部側でフック部１０を成形し、他方の端部側で押さえ腕４を成形するようにしている例である。
【００３０】
即ち、この例においては、所定の長さに切断した金属線材ａの長手方向の中間部位の屈曲成型によりハンガー１の主体部１１を成形して、その金属線材ａの一方の端部側ｂを成形した主体部１１の頂部から上方に立ち上げて、フック状に屈曲成形することでフック部１０を形成してハンガー１を組み立てるようにするが、このとき、金属線材ａの他方の端部側ｃを、成形したフック部１０の立上部に沿い上方に立ち上げて、フック部１０の上半側の一方の側面に沿いそれに倣うように彎曲させ、その先をループ状に屈曲して他方の側面に沿うよう折り返し、再びフック部１０の上半側の側面に倣うよう彎曲させてそれの端部をフック部１０の立上部に巻き付けることで、図２３・図２４にあるように、このハンガー１を成形する金属線材ａの他方の端部側ｃによりフック部１０の上半側に並列する押さえ腕４・４を形成するようにしている。
【００３１】
ハンガー１を成形する金属線材ａの他端側ｃで形成する押さえ腕４のループ状とした遊端部（他端部）４０は、図２３に示す例においては、その金属線材ａの一端側で形成したフック部１０の外周側に張り出すようにしているが、図２４にある実施例のようにフック部１０の内腔側に位置すようにしてもよいこと勿論である。
【００３２】
また、このように、金属線材ａにより押さえ腕４を具備するハンガー１を成形するとき、金属線材ａの他端側ｃにより成形する押さえ腕４は、別に金属線材ａにより成形しておいて、これの基端側を金属線材ａにより成形したハンガー１の頂部のフック部１０の立上部に巻き付け固着することで装着するようにしてもよい。
【００３３】
この場合は、ハンガー１を成形する金属線材ａは、それの一端側ｂによりフック部１０を形成するようにするが、他端側ｃは、一端側で成形するフック部１０の立上部に巻き付ける程度の長さにしておいてよい。
【００３４】
次に、図２５〜図３２は、さらに別の実施例を示している。この例は、ハンガー１の主体部１１の頂部から立ち上がるフック部１０に、それの上半側に並列する押さえ腕４を装設して、物干綱Ｒに対しそれの長手方向に係着した状態として吊り下げ得るようにするが、このフック部１０には、さらに、物干綱Ｒに懸架したときに、フック部１０をその物干竿Ｐに対し係着させる係止腕２を設けている例であり、いいかえるならば、物干竿Ｐにフック部１０を係着させるための押さえ腕４を装備せしめたハンガー１のフック部１０に、物干綱Ｒに対しフック部１０を係着させるための押さえ腕４を装設した例である。
【００３５】
この例のハンガー１は、それの主体部１１およびフック部１０を合成樹脂材により成形した形態のもので、その成形の際に、フック部１０の上半側の側面に並設する物干綱Ｒを押さえ込んで屈曲蛇行させる押さえ腕４を、フック部１０を成形する樹脂材により一体に連続させて成形することで装設し、また、フック部１０には、上位側のアーム２０と下位側のアーム２１とで側面視において略Ｖ字形をなすように形成する係止腕２の要となる部位を回動自在に軸支するための軸受部１０ｂを、前述の押さえ腕４の基端部（一端部）４０の下方に配位して形設しておき、この軸受部１０ｂに、別に合成樹脂材により成形しておいた前述の係止腕２の要部に設けた連結軸３を嵌装することで、この係止腕２を装設するようにしている。
【００３６】
この例においては、ハンガー１を物干竿Ｐに懸架するときは、フック部１０を物干竿Ｐに引き掛けるときに、物干竿ＰがＶ字形の係止腕２の内周側に嵌入して、これを上向きに回動させ、図３１にあるように係止腕の上位側のアーム２０と下位側のアーム２１とが、嵌入した物干竿Ｐを成形した合成樹脂材の弾性によりフック部１０の内周面に向け押し出して、フック部１０に係着させるようになり、また、物干綱Ｒに引き掛けるときは、フック部１０の外周面と押さえ腕４の遊端部（他端部）４１との間に物干綱Ｒを導入することで、その物干綱Ｒが図３２にあるように屈曲蛇行してフック部１０に係着した状態となる。
【００３７】
【発明の効果】
以上説明したように、本発明による物干用のハンガーは、主体部の頂部に連続させて設けるフック部の上半側の近傍位置に、一端部をフック部に固定し他端部を遊端とした押さえ腕を並列させて装設し、物干綱を、押さえ腕の遊端側とフック部の周面との間に導き、それを押さえ腕とフック部とにより蛇行屈曲させてフック部に係着させるようにしているのだから、物干綱に洗濯物を掛けたハンガーを懸架したときにその物干綱に係着して風に飛ばされることがないようになる。
【図面の簡単な説明】
【図１】従前の物干竿に対する係止手段付きのハンガーの要部の側面図である。
【図２】同上のハンガーの物干竿に懸架していく工程途上の一部破断した側面図である。
【図３】同上ハンガーの物干竿に懸架した状態時の一部破断した側面図である。
【図４】従前の物干綱に対するハンガーの係止手段の説明図である。
【図５】本発明による物干綱に対する係止手段を装備せるハンガーの斜視図である。
【図６】同上のハンガーの物干綱に懸架した状態時の平面図である。
【図７】同上ハンガーの同上状態時の要部の斜視図である。
【図８】同上ハンガーの同上状態時の要部の一部破断した前面図である。
【図９】同上ハンガーの別の実施例の要部の一部破断した前面図である。
【図１０】同上ハンガーのさらに別の実施例の一部破断した要部の前面図である。
【図１１】同上ハンガーの並設した押さえ腕の遊端側をフック部の外周側に突出させた例の要部の斜視図である。
【図１２】同上ハンガーの押さえ腕をフック部の左右の両側に並設した例の要部の斜視図である。
【図１３】同上ハンガーの同上実施例の要部の平面図である。
【図１４】同上ハンガーの同上実施例の要部の一部破断した前面図である。
【図１５】同上ハンガーの別の実施例の要部の斜視図である。
【図１６】同上ハンガーの同上実施例の一部破断した側面図である。
【図１７】同上ハンガーのさらに別の実施例の要部の斜視図である。
【図１８】同上実施例の要部の縦断側面図である。
【図１９】同上実施例の要部の物干綱に懸架した状態時の平面図である。
【図２０】同上実施例の同上状態時の縦断前面図である。
【図２１】同上ハンガーの押さえ腕の遊端側をフック部の外周側に突出させた実施例の縦断側面図である。
【図２２】同上実施例の物干綱に懸架した状態時の縦断前面図である。
【図２３】同上ハンガーの金属線材で成形した実施例の斜視図である。
【図２４】同上の金属線材で成形するハンガーの別の実施例の斜視図である。
【図２５】同上ハンガーのさらに異なる実施例の要部の側面図である。
【図２６】同上ハンガーの同上実施例の要部の前面図である。
【図２７】同上ハンガーの同上実施例の要部の平面図である。
【図２８】同上実施例のＶ字型の係止腕を組み付ける前の状態時の要部の側面図である。
【図２９】同上実施例の同上状態時の要部の前面図である。
【図３０】同上実施例の同上状態時の要部の平面図である。
【図３１】同上実施例の物干竿および物干綱に係止した状態時の説明図である。
【図３２】同上実施例の同上状態時の縦断前面図である。
【符号の説明】
Ｐ…物干竿、Ｒ…物干綱、ａ…金属線材、ｂ…金属線の一端側、ｃ…金属線の他端側、ｄ…間隔、ｒ…目穴、１…ハンガー、１０…フック部，１０ａ…開口部、１０ｂ…軸受部、１１…主体部、２…係止腕、２０…上位側のアーム、２１…下位側のアーム、３…連結軸、４…押さえ腕、４ａ…凹部、４０…一端部（基端部）、４１…他端部（遊端部）、４２…つなぎ部材。
【図１】
2004057338.tif 000003
【図２】
2004057338.tif 000004
【図３】
2004057338.tif 000005
【図４】
2004057338.tif 000006
【図５】
2004057338.tif 000007
【図６】
2004057338.tif 000008
【図７】
2004057338.tif 000009
【図８】
2004057338.tif 000010
【図９】
2004057338.tif 000011
【図１０】
2004057338.tif 000012
【図１１】
2004057338.tif 000013
【図１２】
2004057338.tif 000014
【図１３】
2004057338.tif 000015
【図１４】
2004057338.tif 000016
【図１５】
2004057338.tif 000017
【図１６】
2004057338.tif 000018
【図１７】
2004057338.tif 000019
【図１８】
2004057338.tif 000020
【図１９】
2004057338.tif 000021
【図２０】
2004057338.tif 000022
【図２１】
2004057338.tif 000023
【図２２】
2004057338.tif 000024
【図２３】
2004057338.tif 000025
【図２４】
2004057338.tif 000026
【図２５】
2004057338.tif 000027
【図２６】
2004057338.tif 000028
【図２７】
2004057338.tif 000029
【図２８】
2004057338.tif 000030
【図２９】
2004057338.tif 000031
【図３０】
2004057338.tif 000032
【図３１】
2004057338.tif 000033
【図３２】
2004057338.tif 000034
【手続補正書】
【提出日】平成14年8月1日(2002.8.1)
【手続補正１】
【補正対象書類名】図面
【補正対象項目名】図１１
【補正方法】変更
【補正の内容】
【図１１】
2004057338.tif 000035
【手続補正２】
【補正対象書類名】図面
【補正対象項目名】図１２
【補正方法】変更
【補正の内容】
【図１２】
2004057338.tif 000036
【手続補正３】
【補正対象書類名】図面
【補正対象項目名】図１３
【補正方法】変更
【補正の内容】
【図１３】
2004057338.tif 000037
【手続補正４】
【補正対象書類名】図面
【補正対象項目名】図１４
【補正方法】変更
【補正の内容】
【図１４】
2004057338.tif 000038